(57)【要約】【課題】  軟質被膜の柔軟性に富んで充分に平滑な表面の特性を滑り止めとして作用させ、ソフトな触感で、痛み等の不快感を生じることなく滑り止め効果を発揮すると共に、容器本体および蓋体の区別なく施すことができ、さらに容器の外観体裁の劣化を防止することを目的とする。【解決手段】容器本体１と、容器本体１を着脱して開閉する蓋体４とから構成され、蓋体の着脱操作時に保持される、容器本体１および蓋体４の少なくとも一方の外表面に、柔軟性に富んで表面が充分に平滑な軟質被膜８を被覆形成し、軟質被膜８により滑り止め効果と、疵付きによる外観体裁の劣化防止効果とを発揮する。【選択図】図１
2005075404.tif 000002
【特許請求の範囲】
【請求項１】
内容物を収納保持する容器本体(1)と、該容器本体(1)を着脱して開閉する蓋体(4)とから構成され、前記蓋体(4)の着脱操作時に保持される、前記容器本体(1)および蓋体(4)の少なくとも一方の外表面に、柔軟性に富んで表面が充分に平滑な軟質被膜(7)を被覆形成して成る着脱蓋体付き容器。
【請求項２】
軟質被膜(7)を、塗布により成形された塗膜で構成した請求項１記載の着脱蓋体付き容器。
【請求項３】
蓋体(4)の着脱操作時に保持される、容器本体(1)の本体部(2)と蓋体(4)の主体部(5)の少なくとも一方の外周面に、軟質被膜(7)を被覆形成する）請求項１または２記載の着脱蓋体付き容器。
【請求項４】
蓋体(4)を、ネジキャップとした請求項１、２または３記載の着脱蓋体付き容器。
【請求項５】
蓋体(4)を、嵌め合わせキャップとした請求項１、２または３記載の着脱蓋体付き容器。
【発明の詳細な説明】
【技術分野】
【０００１】
本発明は、着脱する蓋体により開閉される着脱蓋体付き容器に関するものである。
【背景技術】
【０００２】
着脱する蓋体により開閉される着脱蓋体付き容器の蓋体としては、ネジキャップや嵌め合わせキャップが考えられるが、この着脱蓋体の容器本体に対する着脱操作は、着脱蓋体に対する回動操作や引上げ操作により達成される。
【０００３】
この着脱蓋体における着脱操作、特に脱操作は、蓋体の容器本体に対する螺合結合や嵌合結合を解除させるものであるので、この結合力に打ち勝つ操作力を着脱蓋体に作用させる必要があり、このため操作力を着脱蓋体に有効に加えることができるように、手と着脱蓋体との間に滑りが発生しないようにする必要がある。
【０００４】
このための手段としては、着脱蓋体の外周面に、細かい多数の縦条を刻設して構成されるローレットを設けることが、最も代表的な手段として挙げられる。
【特許文献１】特開２００１−１８０７０７号公報
【０００５】
また、他の手段としては、着脱蓋体の外周面を、細かい凹凸の粗面とする手段もあるが、いずれの手段にせよ、指の引っ掛かりを利用して、滑りの発生を無くそうとするものであるので、着脱蓋体の容器本体からの離脱に、やや大きめの操作力を要する場合には、この引っ掛かりにより痛みが発生し、着脱蓋体の離脱に不快が生じる、と云う問題があった。
【０００６】
また、ローレットは、特有の外観を呈するので、一般的には、容器本体側に施すのは不適当であり、このため滑り止め手段を、着脱蓋体側だけにしか施すことができないと云う不満があり、同様に採用できる容器の種類が制限され、一般には、高級感を必要とする容器には、採用できないと云う問題があった。
【０００７】
さらに、上記した滑り防止手段は、引っ掛かりにより滑りの発生を防止するものであるので、他の物品との引っ掛かりが発生し易く、このため傷付きによる外観体裁の劣化が発生し易い、と云う問題があった。
【発明の開示】
【発明が解決しようとする課題】
【０００８】
そこで、本発明は、上記した従来技術における問題点を解消すべく創案されたもので、柔軟性に富んで表面が充分に平滑な軟質被膜の表面特性を滑り止めとして作用させることを技術的課題とし、もってソフトな触感で、痛みなどの不快感を生じることなく滑り止め効果を発揮すると共に、基本的には容器の外観体裁をそのまま維持するので、容器本体および蓋体の区別なく施すことができ、さらにきわめてソフトであるので、例え疵が付いてもその疵を隠すことができ、これにより容器の外観体裁の劣化を防止することを目的とする。
【課題を解決するための手段】
【０００９】
上記技術的課題を解決する本発明の内、請求項１記載の発明に手段は、
内容物を収納保持する容器本体と、この容器本体を着脱して開閉する蓋体とから構成されていること、
蓋体の着脱操作時に保持される、容器本体および蓋体の少なくとも一方の外表面に、柔軟性に富んで表面が充分に平滑な軟質被膜を、被覆形成して設けること、
にある。
【００１０】
この請求項１記載の発明にあっては、柔軟性に富んで表面が充分に平滑な軟質被膜の表面特性により、滑り止め作用を発揮するので、引っ掛かりによる刺激感を生じることがなく、かつ軟質被膜の柔軟性により、高いフィット感で、軟質被膜を設けた容器本体および蓋体の少なくとも一方を保持することができる。
【００１１】
また、軟質被膜は、固有の外観形状を有するものではなく、容器本体および蓋体の少なくとも一方の外表面に被覆形成されただけのものであるので、容器の外観体裁を変化させることが少なく、必要に応じて、装飾被膜として、艶消しされた高級感に富んだ外観を出現させることが可能である。
【００１２】
さらに、軟質被膜は、柔軟性に富んで変形し易いので、他の物品と引っ掛かることが少なく、それゆえ引っ掛かりにより疵が付くことが殆どなく、例え疵付いたとしても、軟質被膜自体の柔らかさにより、疵が隠されてしまい、疵付きにより容器の外観体裁が大幅に低下する、と云うことが起こらない。
【００１３】
請求項２記載の発明は、請求項１記載の発明の構成に、軟質被膜を、塗布により成形された塗膜で構成したこと、を加えたものである。
【００１４】
この請求項２記載の発明にあっては、軟質被膜を塗布成形することができるので、軟質被膜の成形および、軟質被膜の容器本体および蓋体に対する組付けがきわめて容易となり、さらに容器本体および蓋体に、軟質被膜を組付けるための特別な構造部分を設ける必要がない。
【００１５】
請求項３記載の発明は、請求項１または２記載の発明の構成に、蓋体の着脱操作時に保持される、容器本体の本体部と蓋体の主体部の少なくとも一方の外周面に、軟質被膜を被覆形成すること、を加えたものである。
【００１６】
この請求項３記載の発明にあっては、容器本体の本体部および蓋体の主体部共に、手で握持し易い部分であるので、容器本体および蓋体に対して、操作力を加え易いことになる。
【００１７】
請求項４記載の発明は、請求項１、２または３記載の発明の構成に、蓋体を、ネジキャップとしたこと、を加えたものである。
【００１８】
この請求項４記載の発明にあっては、ネジキャップに回転操作力を、強力にかつ簡単に加えることができる。
【００１９】
請求項５記載の発明は、請求項１、２または３記載の発明の構成に、蓋体を、嵌め合わせキャップとしたこと、を加えたものである。
【００２０】
この請求項５記載の発明にあっては、嵌め合わせキャップに引き外し力を、強力にかつ安定的に加えることができる。
【発明の効果】
【００２１】
本発明は、上記した構成となっているので、以下に示す効果を奏する。
請求項１記載の発明にあっては、不快な刺激感を伴うことなく、良好な触感で容器本体および蓋体の少なくとも一方を保持することができ、これにより蓋体の着脱操作を、安定して良好な状態で達成することができる。
【００２２】
また、軟質被膜は、特定された外観形状を呈することなく、必要に応じて、装飾被膜として、艶消しされた高級感に富んだ外観を出現させることが可能であるので、所望する好ましい外観体裁を得ることが自由である。
【００２３】
さらに、軟質被膜は、例え疵付いたとしても、それ自体の柔らかさにより、疵を隠し、疵付きによる容器の外観体裁の低下を防止するので、容器の好ましい外観体裁を、長期間に亘って維持することができる。
【００２４】
請求項２記載の発明にあっては、軟質被膜の成形および、軟質被膜の容器本体および蓋体に対する組付けがきわめて容易となり、さらに軟質被膜を組付けるための特別な構造部分を設ける必要がないので、きわめて容易に実施することができる。
【００２５】
請求項３記載の発明にあっては、容器本体の本体部および蓋体の主体部共に、手で握持し易い部分であるので、操作力を加え易く、これにより蓋体の着脱操作がより容易となる。
【００２６】
請求項４記載の発明にあっては、ネジキャップに回転操作力を、強力にかつ簡単に加えることができるので、例え開放時に大きな回転トルクを必要とする大径のネジキャップであっても、無理なく簡単に開蓋することができる。
【００２７】
請求項５記載の発明にあっては、嵌め合わせキャップに引き外し力を、強力にかつ安定的に加えることができるので、例え指先で摘み難い蓋体であっても、強力に引き外し力を作用させることができ、無理なく安定してキャップの引き外しを達成することができる。
【発明を実施するための最良の形態】
【００２８】
以下、本発明の実施形態を、図面を参照しながら説明する。
図１ないし図３は、本発明の第１の実施形態である、ネジキャップ付き容器に実施した例を示すもので、図１はクリーム容器に実施した例を、図２はマスカラ容器に実施した例を、そして図３はマニキュア容器に実施した例を、それぞれ示している。
【００２９】
図１における容器本体１は、広口壜体構造をしていて、内容物であるクリームを収納する有底円筒形状をした本体部２の上端に、縮径した段部を介して、外周面に螺条を刻設した口筒部である装着部３を連設して構成され、本体部２の外周面には軟質被膜７が被覆形成されている。
【００３０】
図１における蓋体４は、高さの低い有頂円筒形状をした主体部５の下端部を、内周面に、容器本体１の装着部３の螺条と螺合する螺条を設けた組付き部６として構成され、その外表面の全域に軟質被膜７が被覆形成されている。
【００３１】
この図１に示した実施例においては、容器本体１の装着部３の径が大きいので、容器本体１から蓋体４を螺脱させるのに、径の大きい分、強い回転操作力を要することになるが、軟質被膜７のおかげで容器本体１および蓋体４に、強力な回転力を安定して作用させることができるので、容器本体１に対する蓋体４の着脱を無理なく円滑に達成することができる。
【００３２】
軟質被膜７は、柔軟性に富んで表面が充分に平滑であることにより、ソフトな質感としっとり感とを有する塗料、例えば二液型高弾性ウレタン系塗料（商品名、ラ・フィール＃２００）を用いて塗布成形されているが、これに特定されるものではない）。
【００３３】
図２における容器本体１は、内容物であるマスカラを収納する細長有底円筒形状をした本体部２の上端に、縮径した段部を介して、外周面に螺条を刻設した口筒部である装着部３を連設して構成され、本体部２の外周面には軟質被膜７が被覆形成されている。
【００３４】
図２における蓋体４は、径の小さい有頂円筒形状をした主体部５の下端部を、内周面に、容器本体１の装着部３の螺条と螺合する螺条を設けた組付き部６として構成され、その外表面の全域に軟質被膜７が被覆形成されている。
【００３５】
この図２に示した実施例においては、容器本体１の本体部２および蓋体４の装着部３共に径が小さいので、蓋体４の着脱操作時に、容器本体１および蓋体４を指先で摘むようにして保持しなければならないのであるが、軟質被膜７の滑り止め効果により、指先による安定した保持を得ることができ、これにより蓋体４の着脱を容易にかつ安定して達成できると共に、蓋体４の使用、すなわちマスカラの塗布動作を良好に達成することができる。
【００３６】
図３における容器本体１は、内容物であるマニキュアを収納する口細小型壜体の胴部である本体部２の上端に、外周面に螺条を刻設した、口細口筒部である装着部３を連設して構成されている。
【００３７】
図３における蓋体４は、径の小さい有頂円筒形状をした主体部５の下端部を、内周面に、容器本体１の装着部３の螺条と螺合する螺条を設けた組付き部６として構成され、その外表面の全域に軟質被膜７が被覆形成されている。
【００３８】
この図３に示した実施例においては、蓋体４の装着部３の径が小さいので、蓋体４の着脱操作時に、蓋体４を指先で摘むようにして保持しなければならないのであるが、軟質被膜７の滑り止め効果により、指先による安定した保持を得ることができ、これにより蓋体４の着脱を容易にかつ安定して達成できると共に、蓋体４の使用、すなわちマニキュアの塗布時に、蓋体４を安定して保持することができるので、マニキュアの塗布を良好に達成することができる。
【００３９】
図４と図５は、本発明の第２の実施形態である、嵌め合わせキャップ付き容器に実施した例を示すもので、図４は口紅の繰り出し容器に実施した例を、また図５は修正液容器に実施した例を示している。
【００４０】
図４における容器本体１は、口紅を保持する受皿を昇降変位可能に内装した、やや細長な有底円筒形状をした本体部２の上部に、蓋体４の下端面が突き当たる縮径段部を介して、装着部３を形成して構成され、本体部２の外周面には軟質被膜７が被覆形成されている。
【００４１】
図４における蓋体４は、やや細長な有頂円筒形状をした主体部５の下端部を、容器本体１の装着部３に、妄りには外れない強度で外嵌結合する組付き部６として構成され、その外表面の全域に軟質被膜７が被覆形成されている。
【００４２】
この図４に示した実施例においては、容器本体１の本体部２および蓋体４の装着部３共に径が小さいので、蓋体４の着脱操作時に、容器本体１および蓋体４を指先で摘むようにして保持しなければならないのであるが、軟質被膜７の滑り止め効果により、指先による安定した保持を得ることができ、これにより蓋体４の着脱を容易にかつ安定して達成できると共に、容器本体１の使用、すなわち口紅の使用を良好に行うことができる。
【００４３】
また、口紅容器としての繰り出し容器は、例外なく携帯されるため、他の物品との接触により、比較的簡単に、細かい疵が付き、これにより早期に外観体裁が劣化するのであるが、図４に示した実施例にあっては、軟質被膜７が容器本体１および蓋体４の表面を保護するので、疵が付くのを確実に防止する。
【００４４】
図５における容器本体１は、細口壜体構造をした本体部２の口筒部の、先細に立ち上がった注出筒片の先端開口部に、押圧により開閉する開閉弁を設けた注出キャップを螺合組付けし、この注出キャップの中央部に装着部３を形成して構成されている。
【００４５】
図５における蓋体４は、先細となった略三角円錐筒構造をした主体部５の下端部を、容器本体１の装着部３に、妄りには外れない強度でアンダーカット結合する組付き部６として構成され、主体部５の外周面には軟質被膜７が被覆形成されている。
【００４６】
この図５に示した実施例においては、蓋体４が先細となった略三角円錐筒状となっているので、蓋体４を指先で摘んで引上げようとすると、指先と蓋体４との間がきわめて滑り易い状態となるのであるが、軟質被膜７の滑り止め効果により、蓋体４に強力な引上げ力を無理なく加えることができ、これにより蓋体４の離脱を安定して達成することができる。
【００４７】
なお、図１、図２、図３そして図４に示した実施例において、軟質被膜７は、蓋体４の外表面全域に施されているが、軟質被膜７を主体部５の外周面に限定して被覆形成し、これにより軟質被膜７の成形材料の節約と、得られる装飾効果の変化を求めてもよい。
【産業上の利用可能性】
【００４８】
軟質被膜７を被覆形成した蓋体４は、容器本体１を直接開閉する用途以外に、軟質被膜７を設けることによる疵の付き難さを利用して、オーバーキャップとして利用する用途に適用することができる。
【図面の簡単な説明】
【００４９】
【図１】本発明の第１の実施形態の第１の例を示す、分離斜視図である。
【図２】本発明の第１の実施形態の第２の例を示す、分離斜視図である。
【図３】本発明の第１の実施形態の第３の例を示す、分離斜視図である。
【図４】本発明の第２の実施形態の第１の例を示す、分離斜視図である。
【図５】本発明の第２の実施形態の第２の例を示す、分離斜視図である。
【符号の説明】
【００５０】
１    ；  容器本体
２    ；  本体部
３    ；  装着部
４    ；  蓋体
５    ；  主体部
６    ；  組付き部
７    ；  軟質被膜
【図１】
2005075404.tif 000003
【図２】
2005075404.tif 000004
【図３】
2005075404.tif 000005
【図４】
2005075404.tif 000006
【図５】
2005075404.tif 000007